(57)【要約】      （修正有） 【課題】一人で交換用テープの交換を容易に行うことができる巻尺交換用テープ収納箱を提供する。【解決手段】巻尺交換用テープ１７を収納するケースであって、 巻尺交換用テープを回転可能に保持して収納しうる厚さ寸法を有すると共に、巻尺交換用テープをケース本体１８の外方へ引き出すことができる様にスリット部１９が形成されている。また、上記スリット部１９は巻尺交換用テープ１７を厚さ方向において姿勢を規制しうるように、巻尺交換用テープ１７の幅寸法よりも小さく形成されている。さらに、収納された巻尺交換用テープ１７を上方から回転可能に押圧固定できる押さえ板部２０がケース本体１８と一体に形成されている。【選択図】図１
0003175399.tif 000002
【実用新案登録請求の範囲】
【請求項１】
巻尺交換用テープを収納するケースであって、 巻尺交換用テープを回転可能に保持して収納しうる厚さ寸法を有すると共に、巻尺交換用テープをケース本体外方へ引き出すことができると共にテープの厚さ方向姿勢を規制しうるスリット部が形成されていることを特徴とする巻尺交換用テープ収納箱。
【請求項２】
厚紙製であって全体薄型直方体箱状に形成され、収納された巻尺交換用テープを上方から回転可能に押圧固定できる押さえ板部がケース本体と一体に形成されていることを特徴とする請求項１記載の巻尺交換用テープ収納箱。
【請求項３】
方形状の底板部と、上記底板部の四片部に夫々設けられた厚さ方向側板部と、一の上記厚さ方向側板部に連設された上記底板部と同一形状の蓋部とを有し、
上記スリット部は、厚さ方向側板部に形成されていることを特徴とする請求項２記載の巻尺交換用テープ収納箱。
【請求項４】
上記押さえ板部は、厚さ方向側板部の上端部に延設され、ケース本体内方に形成される巻尺交換用テープの収納部の全域を上方から被覆して収納された巻尺交換用テープを押さえうると共に、上記スリット部に連設され、巻尺交換用テープの引出操作部を引き出しうる挿通孔を有していることを特徴とする請求項１記載の巻尺交換用テープ収納箱。
【請求項５】
上記スリット部は、厚さ方向側板部の幅方向に沿って縦長に形成されていると共に、上記挿通孔は上記スリット部の幅寸法よりも大きな幅寸法に形成されていることを特徴とする請求項４記載の巻尺交換用テープ収納箱。
【考案の詳細な説明】
【技術分野】
【０００１】
本考案は、巻尺交換用テープ収納箱の改良に関する。
【背景技術】
【０００２】
一般に、巻尺にあっては交換用テープが販売されている。図４及び図５に示すように従来、このような巻尺交換用テープ３０は全体略ドーナツ状であって、平面円形状に巻かれた巻尺交換用テープ３０を収納できる大きさ及び形状に形成された箱３６に収納されて販売されている。
【０００３】
このような巻尺交換用テープ３０は、巻かれた状態ではリング状の引出操作部３１を有する先端部３２は最外周に位置している。
従って、テープ交換のために巻尺交換用テープ３０を購入した場合には、図６に示すように、平面円形状に巻かれた巻尺交換用テープ３０を、一度、全てほどき出し、その後、図５に示すように、巻尺交換用テープ３０を装着する巻尺ケース３４のドラム（図示せず）に巻尺交換用テープ３０の後端部３３を係止させて、巻尺交換用テープ３０を巻尺ケース３４のハンドル（図示せず）を回転させて巻尺ケース３４内に巻き取って使用する。
【０００４】
しかしながら、交換用テープの内、５０ｍテープや１００ｍテープ等の長いテープの場合や、鋼鉄製又は合成樹脂等の、素材の硬度が大きい場合には、テープが所定のバネ性を有しており、図７に示すように、巻かれた状態の巻尺交換用テープ３０の後端部３３を、直接に巻尺ケース３４のドラムに係止させて巻き取った場合には、テープ本体の取り扱いが難しく、ほどく過程でテープが反転し、捩じれてしまう等の事態が発生し、ほどき出す作業が非常に煩雑であった。
【０００５】
一方、このような煩雑さを回避するためには、図８に示すように、取り出した巻尺交換用テープ３０を載置面上において、作業者により巻尺交換用テープ３０を押さえつつ回転させながら、巻尺ケース３４に巻き取ることとなるが、この場合には、他の作業者が巻尺ケース３４を保持しつつハンドル３５を回すことが必要であり、巻尺ケース３４を保持する作業者と、巻尺交換用テープ３０を巻き取りに合わせて、テープが捩れないように押さえつつ回転させる作業者との二名の作業者を要し、交換作業を一人で行うことが難しい、という不具合もあった。
【０００６】
従って、従来より、巻尺交換用テープ３０を一人で容易に巻尺ケース３４に装填できるようにすることが望まれていた。出願人はこのような観点から出願前調査を行い、下記の公報を抽出した。
【特許文献１】実開平４−１００１７号公報
【０００７】
このような従来の技術にあっては、巻尺交換用テープ３０を収納した箱の隅部に開口部を設け、巻尺交換用テープ３０の先端部を引き出すことができるように構成されているが、開口部が大きく形成されていることから、引き出し方によっては、巻尺交換用テープ３０が開口部内で反転し、捩じれてしまう場合もあり、箱から取出してほどき出す場合と同様の不具合が存していた。
【考案の開示】
【考案が解決しようとする課題】
【０００８】
本考案はこのような従来からの不具合を解決するためのものであって、その課題は、一人で交換用テープの交換を容易に行うことができる巻尺交換用テープ収納箱を提供することにある。
【課題を解決するための手段】
【０００９】
上記課題達成のため、請求項１記載の考案にあっては、巻尺交換用テープを収納するケースであって、 巻尺交換用テープを回転可能に保持して収納しうる厚さ寸法を有すると共に、巻尺交換用テープをケース本体外方へ引き出すことができると共にテープの厚さ方向姿勢を規制しうるスリット部が形成されていることを特徴とする。
【００１０】
従って、請求項１記載の考案にあっては、 巻尺交換用テープを上記スリット部を介して外方に引き出した場合には、 巻尺交換用テープは上記スリットにより厚さ方向姿勢が規制されることから、 ほどきだし作業中に巻尺交換用テープが捩じれる等の事態を防止することができる。
【００１１】
請求項２記載の考案にあっては、厚紙製であって全体薄型直方体箱状に形成され、収納された巻尺交換用テープを上方から回転可能に押圧固定できる押さえ板部がケース本体と一体に形成されていることを特徴とする。
【００１２】
従って、請求項２記載の考案にあっては、 巻尺交換用テープを交換する際には、上記押さえ板部により巻尺交換用テープを軽く押さえつつ、巻尺交換用テープを回転させながら上記スリットから巻尺交換用テープを引き出す。
【００１３】
請求項３記載の考案にあっては、方形状の底板部と、上記底板部の四片部に夫々設けられた厚さ方向側板部と、一の上記厚さ方向側板部に連設された上記底板部と同一形状の蓋部とを有し、上記スリット部は、厚さ方向側板部に形成されていることを特徴とする。
【００１４】
従って、請求項３記載の考案にあっては、 巻尺交換用テープを巻尺交換用テープ収納箱から引き出す場合には、厚さ方向側板部に設けられたスリット部を介して引き出す。
【００１５】
請求項４記載の考案にあっては、上記押さえ板部は、厚さ方向側板部の上端部に延設され、ケース本体内方に形成される巻尺交換用テープの収納部の全域を上方から被覆して収納された巻尺交換用テープを押さえうると共に、上記スリット部に連設され、巻尺交換用テープの引出操作部を引き出しうる挿通孔を有していることを特徴とする。
【００１６】
従って、請求項４記載の考案にあっては、巻尺交換用テープを巻尺交換用テープ収納箱から引き出す場合には、上記挿通孔から巻尺交換用テープの引出操作部を引出し、その後、テープ本体を上記スリットに配置させて、スリットによりテープ本体の厚さ方向における姿勢を規制しつつ引き出す。
【００１７】
請求項５記載の考案にあっては、上記スリット部は、厚さ方向側板部の幅方向に沿って縦長に形成されていると共に、上記挿通孔は上記スリット部の幅寸法よりも大きな幅寸法に形成されていることを特徴とする。
【００１８】
従って、請求項５記載の考案にあっては、上記挿通孔は上記スリットよりも大きな幅寸法に形成されていることから、 巻尺交換用テープの引出操作部がテープ本体の幅寸法よりも大きく形成されていた場合であっても、上記挿通孔から引出操作部を引出し、上記スリットからテープ本体部を引き出すことができる。
【考案の効果】
【００１９】
請求項１記載の考案に係る巻尺交換用テープ収納箱は、巻尺交換用テープを回転可能に保持して収納しうる厚さ寸法を有すると共に、巻尺交換用テープをケース本体外方へ引き出すことができると共にテープの厚さ方向姿勢を規制しうるスリット部が形成されていることから、巻尺交換用テープを箱内に収納した状態で、巻尺交換用テープを上記スリット部を介して外方に引き出す場合に、巻尺交換用テープは上記スリットにより厚さ方向姿勢が規制されることから、 巻尺交換用テープが反転して捩じれてしまう等の事態を防止することができる。
【００２０】
その結果、従来、ほどきだし作業中に巻尺交換用テープが反転し、捩じれてしまう、といった事態を有効に防止することが可能であり、その後、容易に巻尺ケースにより巻尺交換用テープを巻き取ることができ、作業者一人のみで容易に巻尺交換用テープの交換作業を行うことができる、という効果を奏する。
【００２１】
請求項２記載の考案にあっては、巻尺交換用テープを交換する際には、収納箱内に 巻尺交換用テープを収納した状態で、上記押さえ板部により 巻尺交換用テープを軽く押さえつつ、 巻尺交換用テープを回転させながら上記スリットから 巻尺交換用テープを引き出すことができるように構成されていることから、従来のように、 収納箱から 巻尺交換用テープを取出し、ほどき出す際に、巻尺交換用テープの剛性により取扱いが困難になったり、バネ性を有する巻尺交換用テープ本体により作業者が怪我をする、といった事態を有効に防止することができる。
【００２２】
また、収納箱は厚紙により形成されていることから、収納箱内で巻尺交換用テープを回転させる場合にも、テープ本体が厚紙に大きな摩擦抵抗なく当接することから、内部で円滑に回転させることができ、スムーズなほどきだし作業を行うことができる。
【００２３】
請求項３記載の考案にあっては、 巻尺交換用テープを巻尺交換用テープ収納箱から引き出す場合には、厚さ方向側板部に設けられたスリット部を介して引き出すように構成されており、 巻尺交換用テープを収納箱から引き出す際に、テープ本体の側方、上方及び下方を規制した状態で引き出すことができるため、テープ本体が反転してしまったり、巻かれた状態のテープ本体がテープ本体の剛性により直径方向に膨らんでしまう、という事態を防止することができ、容易かつ安全な 巻尺交換用テープの収納箱からの引き出しを行うことができる。
【００２４】
請求項４記載の考案にあっては、巻尺交換用テープを巻尺交換用テープ収納箱から引き出す場合には、上記挿通孔から、巻尺交換用テープの引出操作部を引出し、その後、テープ本体を上記スリットに配置させて、スリットによりテープ本体の厚さ方向における姿勢を規制しつつ引き出すように構成されていることから、テープ本体の引出操作部を上記挿通孔を介して容易かつ迅速に収納箱外方へ引出すと共に、テープ本体を引き出すことができる。
【００２５】
請求項５記載の考案にあっては、上記挿通孔は上記スリットよりも大きな幅寸法に形成されていることから、 巻尺交換用テープの引出操作部がテープ本体の幅寸法よりも大きく形成されていた場合であっても、上記挿通孔から引出操作部を引出し、上記スリットからテープ本体部を引き出すことができるように構成されていることから、上記引出操作部の大きさの如何に関わらず、 巻尺交換用テープを容易かつ迅速に収納箱から引き出すことができる。
【図面の簡単な説明】
【００２６】
【図１】本考案に係る巻尺交換用テープ収納箱の一実施の形態を示す斜視図及び一部拡大斜視図である。
【図２】本考案に係る巻尺交換用テープ収納箱の一実施の形態を示す斜視図であって、押さえ板部により巻尺交換用テープを抑えつつ回転させて、収納箱から巻尺交換用テープを引き出している状態を示す説明図である。
【図３】本考案に係る巻尺交換用テープ収納箱の一実施の形態を示す平面図であって、収納箱から引き出した巻尺交換用テープを巻尺ケースに巻き取っている状態を示す説明図である。
【図４】巻尺交換用テープを一般的に示す斜視図である。
【図５】巻尺交換用テープが収納されている収納箱を一般的に示す斜視図である。
【図６】巻尺交換用テープの後端部を巻尺ケースのドラムに係止させて巻き取る状態を示す説明図である。
【図７】巻尺交換用テープの後端部を巻尺ケースのドラムに係止させて巻き取る状態を示す説明図である。
【図８】巻尺交換用テープの後端部を巻尺ケースのドラムに係止させ、作業者が両手で押さえつつ巻き取る状態を示す説明図である。
【考案を実施するための最良の形態】
【００２７】
以下、添付図面に示す実施の形態に基づき、本考案を詳細に説明する。
図１に示すように、本実施の形態に係る 巻尺交換用テープ収納箱１０は、厚紙製であって、全体略薄型長方形の箱状に形成され、正方形状の底板部１１と、上記底板部１１の四片部に夫々設けられた厚さ方向側板部１２、１３、１４、１５と、一の上記厚さ方向側板部１２に連設された上記底板部１１と同一形状の蓋部１６とを有している。
巻尺交換用テープ収納箱１０は、各種長さの巻尺交換用テープに応じた大きさに形成されており、内部に巻き取った平面円形状の巻尺交換用テープ１７を収納できるように構成されている。なお、上記蓋部１６は、被覆時に厚さ方向側板部１３、１４の内方に差し込まれる側方差込部２４、２４及び、厚さ方向側板部１２の外方に配置される前方被覆部２５を有している。
【００２８】
本実施の形態に係る巻尺交換用テープ収納箱１０は、巻尺交換用テープ１７を回転可能に保持して収納しうる厚さ寸法Ｌを有すると共に、巻尺交換用テープ１７をケース本体１８外方へ引き出すことができると共に巻尺交換用テープ１７の厚さ方向姿勢を規制しうるスリット部１９が、厚さ方向側板部１２の長さ方向端部に形成されている。
【００２９】
上記スリット部１９は巻尺交換用テープ１７を厚さ方向において姿勢を規制しうるように、巻尺交換用テープ１７の幅寸法よりも小さく形成されている。
また、本実施の形態にあっては、収納された巻尺交換用テープ１７を上方から回転可能に押圧固定できる押さえ板部２０がケース本体１８と一体に形成されている。
【００３０】
上記押さえ板部２０は、巻尺交換用テープ１７の収納時には、底板部１１上に当接して配置されており、押さえ板部２０上に巻尺交換用テープ１７が配置されるように収納される。
【００３１】
上記押さえ板部２０は、厚さ方向側板部１２の上端部に延設され、厚さ方向側板部１２の上端部から所定間隔寸法内方へ延設された延設部２０ａと、上記延設部２０ａの端部に下方へ折曲して形成された折曲部２０ｂと、上記折曲部２０ｂからさらに直角に延設され、厚さ方向側板部１３、１５の間の間隔寸法と同一に形成された押さえ板本体部２０ｃとからなり、厚さ方向側板部１５と上記折曲部２０ｂにより形成される段部との間に巻尺交換用テープ１７が収納されるように構成されている。
【００３２】
また、上記折曲部２０ａにあっては、厚さ方向側板部１２の長さ方向端部に設けられたスリット部１９に連設され、巻尺交換用テープ１７の引出操作部３１を引き出しうる挿通孔２１が形成されている。上記挿通孔２１は、上記スリット部１９の幅寸法よりも大きな幅寸法を有する方形状に形成されている。
【００３３】
従って、 巻尺交換用テープ１７の収納時には、上記延設部２０ａは厚さ方向側板部１２の上端部内方に向かって、底板部１１に略平行に配置され、上記延設部２０ａの端部に下方へ折曲して形成された折曲部２０ｂを介して押さえ板本体部２０ｃが底板部１１上に配置される。
図１に示すように、上記巻尺交換用テープ１７は、全体ドーナツ状に巻かれ、最外方には平面略Ｕ字状であって、 巻尺交換用テープ１７の幅寸法よりもやや大きい幅寸法に形成された引出操作部３１が固定されている。
【００３４】
以下、本実施の形態に係る 巻尺交換用テープ収納箱１０の使用方法について説明する。
図１に示すように、巻尺交換用テープ収納箱１０を使用して巻尺交換用テープ１７を交換する場合には、蓋部１６を開き、巻尺交換用テープ１７を取り出して、図１に拡大して示すように、押さえ板部２０を開いて厚さ方向側板部１２の上方に立て、上記挿通孔２１を露出させる。この場合、上記挿通孔２１は上記厚さ方向側板部１２に開設されたスリット部１９に連通する。
【００３５】
この状態で巻尺交換用テープ１７を底板部１１上へ置き、テープ本体２３の引出操作部２２を上記挿通孔２１に挿通させて引出し、その後、テープ本体２３を、連通する上記スリット部１９内に配置させる。
【００３６】
図２に示すように、その後、上記押さえ板部２０を倒し、巻尺交換用テープ１７の上面部に当接した状態で配置させ、操作者の一方の手で押さえ板部２０を軽く押さえつつ引出操作部３１を引き出して、 巻尺交換用テープ１７を全て巻尺交換用テープ収納箱１０の外方へ引き出す。
この場合、 巻尺交換用テープ１７は上記スリット部１９により厚さ方向を規制された形で引き出されることから、 巻尺交換用テープ１７は引出作業途中で反転し捩じれてしまう、といった事態が有効に防止される。
【００３７】
その後、図３に示すように、巻尺ケース３４のドラム部にほどき出した 巻尺交換用テープ１７の先端部３２を固定してハンドル部３５を利用して巻尺ケース３４に巻き取ることにより交換を終了する。
なお、上記実施の形態におけるスリット部、押さえ板部等の具体的構成に関しては上記各実施の形態には限定されない。
【産業上の利用可能性】
【００３８】
本考案は 巻尺交換用テープを収納する収納箱に広く適用することができることから産業上の利用可能性を有している。
【符号の説明】
【００３９】
１０  巻尺交換用テープ収納箱
１１  底板部
１２  厚さ方向側板部
１３  厚さ方向側板部
１４  厚さ方向側板部
１５  厚さ方向側板部
１６  蓋部
１７  巻尺交換用テープ
１８  ケース本体
１９  スリット部
２０  押さえ板部
２０ａ  延設部  
２０ｂ  折曲部
２０ｃ  押さえ板本体部
２１  挿通孔
２２  引出操作部    
２３  交換テープ本体
２４  側方差込部
２５  前方被覆部
３０  巻尺交換用テープ
３１  引出操作部
３２  先端部
３３  後端部
３４  巻尺ケース
３５  ハンドル
３６  箱
【図１】
0003175399.tif 000003
【図２】
0003175399.tif 000004
【図３】
0003175399.tif 000005
【図４】
0003175399.tif 000006
【図５】
0003175399.tif 000007
【図６】
0003175399.tif 000008
【図７】
0003175399.tif 000009
【図８】
0003175399.tif 000010